(57)【要約】【課題】端子が大きく変形しても半田部分に大きな応力が生じないようにするとともに寸法誤差や位置ずれを吸収できる。【解決手段】相手方配線基板のコネクタ及び端子を収容するボックス状のコネクタ７を配設した可動ハウジング３と、この可動ハウジング３を変位可能に取り付けた固定ハウジング１と、この固定ハウジング１に固定された配線基板２と、この配線基板２に半田付けされ固定ハウジング１内に位置して前記可動ハウジング３内のコネクタ７に機械的に接合された端子６とを備えた配線基板用コネクタにおいて、前記配線基板２に半田付けされた端子６を板状に形成し、この端子６の表裏面から見てジグザグ状の弾性変形部６０を形成した。【選択図】図５
2007305531.tif 000002
【特許請求の範囲】
【請求項１】
相手方配線基板のコネクタ及び端子を収容するボックス状のコネクタを配設した可動ハウジングと、この可動ハウジングを変位可能に取り付けた固定ハウジングと、この固定ハウジングに固定された配線基板と、この配線基板に半田付けされ固定ハウジング内に位置して前記可動ハウジング内のコネクタに機械的に接合された端子とを備えた配線基板用コネクタにおいて、
前記配線基板に半田付けされた端子を板状に形成し、この端子の表裏面から見てジグザグ状の弾性変形部を形成したことを特徴とする配線基板用コネクタ。
【請求項２】
前記可動ハウジング内に複数配設されたコネクタ間を隔てる隔壁の延長線上に端子を配置したことを特徴とする請求項１に記載の配線基板用コネクタ。
【発明の詳細な説明】
【技術分野】
【０００１】
本発明は、配線基板用コネクタに関する。
【背景技術】
【０００２】
従来の配線基板用コネクタとしては、一方の配線基板にポスト受け用のコネクタを複数設け、他方の配線基板にポストを持つコネクタを複数設け、ポストをポスト受けに嵌合して両コネクタを接続することにより、両配線基板を電気的機械的に接合したものが知られている。
【０００３】
上述した従来例では、両コネクタの取付位置が正確ではなく、誤差があると、ポストの位置とポストを挿入する孔の位置が合わず、両コネクタの接続が困難となり、基板同士を電気的機械的に接合することができないという不都合が生じていた。
【０００４】
複数のコネクタ同士の寸法誤差を吸収するとともに、用いるコネクタ自体の背が高くなって実装上問題を生じさせることのないように背が高くならないように工夫したものが開発された。例えば、図８ないし図１０に示すように、ポスト１４…を挿入する挿入孔１０…を横２列に複数個穿設したハウジング１１を両側方向に移動自在に収納した枠状の外殻体１２と、ハウジング１１の浮き防止と外殻体１２のプリント基板への固定のための金具１３とを備え、ハウジング１１の各挿入孔１０は独立した角孔であって夫々の挿入孔１０にはコンタクト１５の接触ばね片１５ａをハウジング１１の下面側から上方向に向けて挿入してあり、挿入孔１０の上面開口よりポスト１４が挿入されたときに接触ばね片１５ａが、それに並行する内壁面方向にポスト１４を弾接して電気的に接続するようになっているものが知られている。前記コンタクト１５は、金属ばね材を折り曲げ形成されたもので、接触ばね片１５ａの下端の両側に設けた突起１５ｅを挿入孔１０の内壁に圧接することにより接触ばね片１５ａを挿入孔１０に圧入固定し、更に接触ばね片１５ａの下端より外側方へ延長した延長片を更にハウジング１１の外側壁面に並行するように逆Ｕ字状に折り曲げて、逆Ｕ字状ばね片１５ｂを形成し、この逆Ｕ字状ばね片１５ｂの外側辺の下端部を、外殻体１２の両側内側壁下部に各コンタクト１５に対応して設けた溝１６に圧入固定している。この際、逆Ｕ字状ばね片１５ｂの外側辺の下端部両側に突設した突起１５ｃが溝１６の両側内壁面に圧接することになる。
【０００５】
また、前述したコンタクト１５は更に逆Ｕ字状ばね片１５ｂの外側辺の下端を外側方へ延長してその延長片で、プリント基板のパターンにリフロー半田により固定接続するための端子１３ｄを構成している。外殻体１２の両端外面に設けた金具１３は両側脚の下端に設けた固定片１３ａによりプリント基板に対してリフロー半田で固定され、また、中央片より外殻体１２を貫通させて外殻体１２内に突出させた突片をハウジング１１の両端外面下部に突設した凸部の上方に位置させ、ハウジング１１の上方への動きを規制するようになっている。
【０００６】
上述のように構成された従来例のコネクタは各コンタクト１５の端子１５ｄ及び金具１３の固定片１３ａをリフロー半田でプリント基板のパターンに半田付けすることにより、プリント基板に実装される。別のプリント基板に設けたコネクタのポスト１４を接合するに際してコネクタの取付けピッチに誤差があった場合には、ハウジング１１をコンタクト１５の逆Ｕ字状ばね片１５ｂを撓ませながら側方に移動させて誤差を吸収し、ポスト１４の位置とハウジング１１の挿入孔１０との位置を合わせ、スムーズな挿入接合ができるようになっている（特許文献１参照）。
【特許文献１】特開平６−１６３１２５号公報（第３頁、図１）
【発明の開示】
【発明が解決しようとする課題】
【０００７】
特許文献１に記載の従来例は、逆Ｕ字状ばね片１５ｂを弾性変形させることでハウジング１１が左右に移動し、基板同士の誤差吸収を図っているものであるが、コンタクト１５をハウジング１１に組み付けるときに、コンタクト１５の変形が生じ易く、コンタクト１５の端子１５ｄ（半田部分）に大きな応力が作用するおそれがあった。
【０００８】
そこで、本発明は、コンタクト（端子）が大きく変形しても半田部分に直接大きな応力が生じないようにするとともに、簡易な構成でも両配線基板に設けた両コネクタの寸法誤差や基板同士の位置ずれを吸収できる配線基板用コネクタを提供することを目的とする。
【課題を解決するための手段】
【０００９】
上述の目的を達成するため、本発明は、相手方配線基板のコネクタ及び端子を収容するボックス状のコネクタを配設した可動ハウジングと、この可動ハウジングを変位可能に取り付けた固定ハウジングと、この固定ハウジングに固定された配線基板と、この配線基板に半田付けされ固定ハウジング内に位置して前記可動ハウジング内のコネクタに機械的に接合された端子とを備えた配線基板用コネクタにおいて、前記配線基板に半田付けされた端子を板状に形成し、この端子の表裏面から見てジグザグ状の弾性変形部を形成したものである。
【発明の効果】
【００１０】
本発明は、相手方配線基板のコネクタ及び端子を収容するボックス状のコネクタを配設した可動ハウジングと、この可動ハウジングを変位可能に取り付けた固定ハウジングと、この固定ハウジングに固定された配線基板と、この配線基板に半田付けされ固定ハウジング内に位置して前記可動ハウジング内のコネクタに機械的に接合された端子とを備えた配線基板用コネクタにおいて、前記配線基板に半田付けされた端子を板状に形成し、この端子の表裏面から見てジグザグ状の弾性変形部を形成したので、端子が大きく変形しても、すなわちＵ字状と逆Ｕ字状の各部分が撓んでも、その基板固定部分に直接大きな応力が生じない。そのため、端子の半田が剥離するおそれはなくなった。また、上述したような簡易な構成ではあるが、配線基板の位置ずれを吸収することができる。
【発明を実施するための最良の形態】
【００１１】
以下に、本発明の実施形態を図面を参照にして説明する。
【００１２】
図１及び図２において、従来の外殻体１２に相当する固定ハウジング１を配線基板２に固定し、この固定ハウジング１に可動ハウジング３を変位可能に取り付けてある。なお、図１及び図２の例は、自動車の内装パネルに組み付けられるハーネスに備えたジャンクションボックス（電気接続箱）と電子ユニットとの接合を示す。
【００１３】
可動ハウジング３の固定ハウジング１への取り付けは、可動ハウジング３の可動方向の両端に設けた係合片４を図３に示す固定ハウジング１の係合部５に係合させて図っている。また、配線基板２に端子６を半田付けして固定するとともに、これら端子６は固定ハウジング１内から可動ハウジング３内へ配設されている。
【００１４】
前記配線基板２に半田付けされた複数の端子６は、図４及び図５に示すように、可動ハウジング３内に位置するボックス状のコネクタ７と機械的に接合され（あるいは一体成型され）、図示しない相手方の端子とコネクタがこのコネクタ７に電気的機械的に接続する。前記端子６は、板状の金属ばね材（好適にはＭＳＰ１）を打ち抜いて形成したものであり、先端部の接合部６ａ、コ字状の折曲部６ｂ、延長部６ｃ、固定部６ｄ、基部６ｅを備えている。前記接合部６ａから折曲部６ｂまでのジグザグ状の部分は、この板状の端子６の表裏面方向、すなわち可動ハウジング３の可動方向に変形可能な弾性変形部６０となる。コネクタ７に接続される図示しない相手方コネクタと端子との接合位置に寸法誤差が生じていた場合、端子６の弾性変形部６０が図５において表裏方向に弾性変形して取付位置の誤差を吸収することができる。
【００１５】
図６及び図７は、図４及び図５に示す端子６及びボックス状のコネクタ７の可動ハウジング３内の配設状態を示す断面であり、固定部６ｄは固定ハウジング１との固定を図り、この固定部６ｄよりも上部の端子６とコネクタ７は可動ハウジング３内に埋設され、コネクタ７の上端開口に相手方のコネクタ及び端子が挿入され、電気的接続が図られる。このとき、相手方とコネクタ７との位置がずれていても、端子６の弾性変形部６０も変形し、可動ハウジング３が可動して接続を可能にする。図６からも明らかなように、端子６は、可動ハウジング３内の複数のコネクタ６間を隔てる隔壁（符号なし）の延長線上に位置させてあるので、可動ハウジング３の小型化が可能になる。
【図面の簡単な説明】
【００１６】
【図１】本発明の好適な実施形態を示す正面図。
【図２】側面図。
【図３】可動ハウジングの固定ハウジングへの取付部詳細断面図。
【図４】コネクタと端子の正面図。
【図５】コネクタと端子の側面図。
【図６】側断面図。
【図７】正断面図。
【図８】従来例を示す断面図。
【図９】従来例の斜視図。
【図１０】コンタクトの斜視図。
【符号の説明】
【００１７】
１    固定ハウジング
２    配線基板
３    可動ハウジング
６    端子
７    コネクタ
６０  弾性変形部
【図１】
2007305531.tif 000003
【図２】
2007305531.tif 000004
【図３】
2007305531.tif 000005
【図４】
2007305531.tif 000006
【図５】
2007305531.tif 000007
【図６】
2007305531.tif 000008
【図７】
2007305531.tif 000009
【図８】
2007305531.tif 000010
【図９】
2007305531.tif 000011
【図１０】
2007305531.tif 000012